(57)【要約】【課題】  利用者が繰り返し画像を観察して楽しむことのでき、利用者が子供であっても安心して使用でき、また、広告宣伝用の媒体としても安価に作製することができる光学媒体と、また、点光源を探さないでも簡単に光学画像を見ることが可能な光学画像の観察方法を提供する。【解決手段】  光学画像が形成されたフーリエ変換レンズフィルムと、光を点状に透過できる光透過部が複数設けられている光透過用シートとを重ね合わせ、前記光透過用シートが重ね合わされている方向から照射される光を、前記光透過部を通して前記フーリエ変換レンズフィルム側から見ることで、前記フーリエ変換レンズフィルムに形成されている画像を観察する。【選択図】        図１
2006301312.tif 000002
【特許請求の範囲】
【請求項１】
光学画像が形成されたフーリエ変換レンズフィルムと、光を点状に透過できる光透過部が複数設けられている光透過用シートとが重ね合わされていることを特徴とする光学媒体。
【請求項２】
前記透明シートが、前記光透過用シートから着脱自在に設けられていることを特徴とする請求項１記載の光学媒体。
【請求項３】
前記光透過用シートに広告情報が表示されていることを特徴とする請求項１記載の光学媒体。
【請求項４】
前記光学画像が、前記広告情報と関係する内容の画像であることを特徴とする請求項３記載の光学媒体。
【請求項５】
光学画像が形成されたフーリエ変換レンズフィルムと、光を点状に透過できる光透過部が複数設けられている光透過用シートとを重ね合わせ、前記光透過用シートが重ね合わされている方向から照射される光を、前記光透過部を通して前記フーリエ変換レンズフィルム側から見ることで、前記フーリエ変換レンズフィルムに形成されている画像を観察することを特徴とする光学画像の観察方法。
【発明の詳細な説明】
【技術分野】
【０００１】
本発明は、フーリエ変換レンズを用いて光学画像を見ることができる光学媒体と、光学画像が形成されたフーリエ変換レンズを用いてその画像を観察する方法に関するものである。
【背景技術】
【０００２】
従来、各種プレミアム製品やポストカードなどが広告宣伝媒体として利用され、近年、特に新製品の販促、イベントなどに用いるツールとしても、重要なアイテムになっている。
このようなツールはすぐに飽きられる傾向があり、新規な意匠性、意外性が楽しめ、かつ、販促活動に寄与するものが求められている。
例えば、レンティキュラレンズを組み込んだ画像付きポストカードが提案されている。（例えば、特許文献１参照）
しかしながら、レンティキュラレンズを組み込んだ画像付きポストカードでは、投影写真を複数用意しなければならず、またその数に合わせた複雑なレンズを形成しなければならずコストがかかるという問題がある。
【０００３】
また、従来からの広告宣伝媒体としては、種々のものが開発され、提案されている。
例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像表示を形成し、その商品の広告宣伝を行っている。
あるいは、商品に関するチラシ、カタログ等を作製し、これを不特定多数の人に配布し、そこに掲載されている商品を広く知らせて、人々の関心を引いて広告宣伝を行う場合もある。
更に、例えば、街頭のネオンサイン等を利用し、主に、視覚を通して商品を広告宣伝する場合、更には、ラジオ、街頭放送等を利用し、主に、音声を通して商品を広告宣伝する場合、あるいは、テレビ等を利用し、主に、音声と映像等を通して商品を広告宣伝する場合等もある。
【０００４】
しかしながら、上記のような広告宣伝媒体による広告宣伝は、不特定多数の人に向かって商品を広告宣伝するものであり、通常、一人一人は、それを見ても、また、それを聴いても、広告宣伝する商品について、それ程関心を引くものではないものである。
ましてや、人は、近年、広告宣伝による喧騒、騒々しさ等に嫌悪感を持ち、かつ、辟易しており、それほどに関心のない商品には、見たり、聴いたりすることを避け、チラシ、カタログ等に至っては、見ないで、そのまま捨ててしまい、その商品の広告宣伝に振り向かないのが実状であり広告宣伝効果が期待できないという問題がある。
【０００５】
また、光学画像を見ることができる光学媒体も、広告宣伝や、新製品の販売販促などを行なう際に用いられる販売促進用媒体や、玩具などとしても用いられている。
これらの光学媒体としては、例えばフーリエ変換レンズを利用して、予めレンズに形成しておいた種々の光学画像を、光の照射などにより目視可能に映し出し、利用者が観察して楽しめるようにしてある。（例えば、特許文献２参照）
【０００６】
従来のフーリエ変換レンズを利用した光学媒体においては、フーリエ変換レンズに形成されている光学画像を目視で観察する際に、利用者が目で観察する側と反対方向から点光源の光をフーリエ変換レンズに対して照射する必要がある。
このような点光源としては、例えば、太陽、ろうそく、スポットライト、花火などが適応できるが、光学画像を観察する際に、太陽に向かってフーリエ変換レンズをかざして目視した場合には、光線が強すぎて目を傷める危険性がある。
特に、子供への配布用としてフーリエ変換レンズを用いた媒体を利用する場合には、子供が太陽に向かってフーリエ変換レンズをかざさないように注意する内容の注意書きなどを印刷するなどして、事故を未然に防ぐような対策を図ることが必要である。
【０００７】
しかしながら、子供が、これらの注意書きに気が付かなかったり、文字が正確に読めなかったり、また、いたずら半分などで、フーリエ変換レンズを太陽に向かってかざして使用することも十分に考えられ、使用者が不適切な使用を行なう危険性があるという問題がある。
【０００８】
また、消費者の興味を引くために、フーリエ変換レンズを用いた珍しい光学媒体を販売促進用として使用すると効果的であるが、フーリエ変換レンズが形成されたシートと、広告宣伝用の情報を印刷したシートとを貼りあわせるなどの加工を行なわなければならず、手間やコストがかかり、気軽にフーリエ変換レンズを利用した媒体を広告宣伝用として用いることができないという問題がある。
【０００９】
【特許文献１】特開２００１−１６６４０２号公報
【特許文献２】特開２００４−７７５４８号公報
【発明の開示】
【発明が解決しようとする課題】
【００１０】
そこで、本発明は、利用者が繰り返し画像を観察して楽しむことのでき、利用者が子供であっても安心して使用でき、また、広告宣伝用の媒体としても安価に作製することができる光学媒体と、また、点光源を探さないでも簡単に光学画像を見ることが可能な光学画像の観察方法を提供する。
【課題を解決するための手段】
【００１１】
本発明の光学媒体は、光学画像が形成されたフーリエ変換レンズフィルムと、光を点状に透過できる光透過部が複数設けられている光透過用シートとが重ね合わされていることを特徴とする。
【００１２】
また、本発明の光学媒体は、前記透明シートが、前記光透過用シートから着脱自在に設けられていることを特徴とする。
【００１３】
更に、本発明の光学媒体は、前記光透過用シートに広告情報が表示されていることを特徴とする。
【００１４】
また、本発明の光学媒体は、前記光学画像が、前記広告情報と関係する内容の画像であることを特徴とする。
【００１５】
また、本発明の光学画像の観察方法は、光学画像が形成されたフーリエ変換レンズフィルムと、光を点状に透過できる光透過部が複数設けられている光透過用シートとを重ね合わせ、前記光透過用シートが重ね合わされている方向から照射される光を、前記光透過部を通して前記フーリエ変換レンズフィルム側から見ることで、前記フーリエ変換レンズフィルムに形成されている画像を観察することを特徴とする。
【発明を実施するための最良の形態】
【００１６】
以下、本発明の実施形態に係る光学媒体および光学画像の観察方法を図面に基づいて詳細に説明する。
図１は、本発明の第１実施形態にかかる光学媒体の斜視図、図２は、本発明の光学媒体に使用するフーリエ変換レンズフィルムの平面図、図３は、本発明の光学媒体に使用する光透過用シートであり、図３（Ａ）は、光透過用シートの表側の平面図、図３（Ｂ）は、光透過用シートの裏側の平面図、図４は、図１のＡ−Ａ線断面図、図５は、本発明の第２実施形態にかかる光学媒体の断面図、図６は、本発明の光学媒体を用いた光学画像の観察方法を説明する説明図、図７は、フーリエ変換レンズの原理を説明する説明図、図８は、２Ｐ法を説明する概念図、図９は、複製されたフーリエ変換レンズの断面図である。
【００１７】
図１乃至図３に示すように、本発明の第１実施形態にかかる光学媒体１は、フーリエ変換レンズ２を有するフーリエ変換レンズフィルム３と、光を点状に透過できる光透過部４が複数設けられている光透過用シート５とが重ね合わされている。
フーリエ変換レンズ２には、所定の条件により、フーリエ変換レンズに光学画像が観察できるように凹凸形状が施されている。
フーリエ変換レンズ２は、フーリエ変換レンズフィルム３の所定領域で設けても、また全面に設けてもよい。
尚、図示の例では、透明シート３の中央の領域にフーリエ変換レンズ２が設けられている場合の実施形態が示されている。
【００１８】
また、図３に示すように、光透過用シート５には、光を点状に透過できる光透過部４が複数設けられている
この複数の光透過部４が設けられている光透過部４の形成領域は、フーリエ変換レンズフィルム３と、光透過用シート５とを重ね合わせた際に、フーリエ変換レンズと光透過部４の形成領域とが重なる位置に設けられている。
更に、光透過用シート５の片面または両面には、広告情報６が表示されている。
この広告情報６は、光学媒体１を広告媒体として用いる場合に表示し、更に広告効果を高めるために、フーリエ変換レンズで観察することができる光学画像に、広告情報と関係する内容の画像を用いることもできる。
これにより、光学媒体１を広告媒体として消費者に配布した際に、単に印刷などで表示された広告情報を見せるだけでなく、フーリエ変換レンズに映し出された広告情報も見せることで、消費者に対して斬新な印象を与えることができ、より広告効果を高めることができる。
【００１９】
また、光透過用シート５の光透過部４は、光透過用シート５を点状に光が透過できるように形成された微細孔などであり、複数の微細孔が形成されていることで、光源から照射された光を、微細孔を通過させることで、フーリエ変換レンズに対して点状の光が照射されるようにしてある。
光透過部４は、光透過用シート５を点状に光が透過し、フーリエ変換レンズに対して点状の光が照射されればよいので、微細孔以外であってもよく、例えば、光透過用シート５に透明性を有する基材を用いて、基材の少なくとも一方の面に全べたで濃色、特に黒色で印刷を施して不透明化にし、べた印刷面の所定部分に点状に光が透過できるような透視部を設けるようにしてもよい。
小孔面を黒色で印刷することにより、光反射が少なくなり、より鮮明な点状の光源が得られる。
【００２０】
フーリエ変換レンズフィルム３は、該フーリエ変換レンズを透して点光源を観察した時に、所望の光学画像が観察されるような微細な凹凸が形成されたものであり、フーリエ変換レンズ２だけでは、例えば太陽、蛍光灯等の電灯、ろうそく、スポットライト、花火などの点光源を利用しないと光学画像を観察することができない。
しかしながら、本発明の光学媒体は、光透過用シート５の光透過部４により光を点状に絞り込むので、点光源を利用しないでも、光学画像を観察することができるという特徴がある。
【００２１】
光透過用シート５は公知のものでよく、このシート基材に使用する板紙は、賦型性、剛性等を持たせるものであり、白板紙、マニラボール、高級板紙、段ボール等を使用することができる。
上記において、板紙としては、坪量約８０〜１０００ｇ／ｍ2の範囲のもの、好ましくは、坪量約１００〜４００ｇ／ｍ2の範囲のものを使用することが望ましい。
当該紙基材には、1個以上点光源を設け、その径は50μｍ〜1ｍｍの範囲のもの、好ましくは、0．1〜0．5ｍｍの範囲のものを使用することが望ましい。点光源の数量は、径の大きさによるが、3〜50ヶ／cm2が望ましい。
【００２２】
また、本発明においては、紙基材と各種の樹脂のフィルムないしシート等を併用して使用することもできる。
例えば、ポリエチレン系樹脂、ポリプロピレン系樹脂、エチレン-プロピレン共重合体、ポリ塩化ビニル系樹脂、ポリアクリルニトリル系樹脂、ポリスチレン系樹脂、ポリカーボネート系樹脂、アクリロニトリル-スチレン共重合体（ＡＳ系樹脂）、アクリロニトリル-ブタジェン-スチレン共重合体（ＡＢＳ系樹脂）、ポリエステル系樹脂、ポリアミド系樹脂等の公知の成形用樹脂を使用し、例えば、射出成形法、押し出し成形法、真空圧空成形等の熱成形法、ブロー成形法等の公知の成形法を利用して、種々のプラスチックフィルムやシートを製造することができる。
勿論、板紙を基材層として、上記に挙げた各種の樹脂のフィルムないしシート等を貼り合わせて積層体として使用することができる。
【００２３】
図４は、第１実施形態にかかる光学媒体におけるフーリエ変換レンズであって、フーリエ変換レンズフィルム３と、光透過用シート５との重ね合わせ方法を示す断面図である。
フーリエ変換レンズフィルム３と光透過用シート５とを接着剤、粘着剤、ホットメルト等で固着したり、粘着テープ留め、両面テープ留め、ホッチキス留めなどで貼り合せ一体化しても良い。
【００２４】
また、図５は、第２実施形態にかかる光学媒体紙におけるフーリエ変換レンズフィルム３ａと、光透過用シート５ａとの重ね合わせ方法を示す断面図である。
図５に示す例では、光透過用シート５ａに矩形状の凹部を形成し、その凹部にフーリエ変換レンズフィルム３ａを嵌め込んで、フーリエ変換レンズフィルム３ａの上部に枠状の押さえシート７を、更に嵌め込むことで、フーリエ変換レンズフィルム３ａを光透過用シート５に着脱可能に一体化させた構造とすることができる。
この場合には、光透過用シート５ａに矩形状の凹部を形成された部分に、光を点状に透過できる光透過部４ａを複数設けることで、光透過部４ａを通してフーリエ変換レンズに点状の光があたるようにしてある。
この構造では、フーリエ変換レンズフィルム３ａを光透過用シート５ａからはずして、単独で使用することもできる。
【００２５】
次に、図６に基づいて、本発明の光学画像の観察方法について説明する。
本発明の光学画像の観察方法は、光学画像が形成されたフーリエ変換レンズ２を有するフーリエ変換レンズフィルム３と、光源８から照射される光を点状に透過できる光透過部４が複数設けられている光透過用シート５とを重ね合わせ、前記光透過用シート５が重ね合わされている方向から照射される光を、前記光透過部４を通して前記フーリエ変換レンズフィルム３側から目９で見ることで、前記フーリエ変換レンズ２に形成されている光学画像１０を観察するものである。
【００２６】
本発明の光学画像の観察方法では、光学画像が形成されたフーリエ変換レンズ２を有するフーリエ変換レンズフィルム３と、光を点状に透過できる光透過部４が複数設けられている光透過用シート５とを、フーリエ変換レンズ２に形成されている光学画像を観察する際に、フーリエ変換レンズフィルム３と光透過用シート５とを重ね合わせることで、点光源がなくても、フーリエ変換レンズ２に対して点光源から光が照射されたのと同様の状態にすることができるので、従来のように点光源を用意する必要がない。
尚、フーリエ変換レンズフィルム３と光透過用シート５とは、予め重ね合わせて、接着一体化させておいても、別々に用意しておいてもよい。
【００２７】
図７は、フーリエ変換レンズの原理を説明する説明図である。
（フーリエ変換）
図７（Ａ）は目視を説明する図で、所望の画像２０をレンズ２１を介して、人間の目２３で観察すると観察像２４が観察される。
図７（Ｂ）では、点光源２５をフーリエ変換面２２へ設置したフーリエ変換レンズ２６を透して、人間の目２７で目視すると、フーリエ変換レンズ２６の凹凸形状に応じた光学画像２７が観察される。
例えば、フーリエ変換レンズフィルムへ、図７（Ｂ）のように星型画像を再生するような凹凸形状を設けておけば、星型の光学画像２７が観察される。
【００２８】
（フーリエ変換レンズフィルム）
フーリエ変換レンズフィルム３の形成方法としては、公知の方法でよく、まず、所望の画像に対応する原版を作成する。
所望の画像を決めた後に、該画像のデータを作成し、フーリエ変換面の位置などから、フーリエ変換データを計算し、該フーリエ変換データを２値化し、さらに電子線描画用の矩形データへ変換する。
該矩形データを、半導体回路マスクなどを描画する電子線描画装置で、ガラス板へ塗布されたレジスト面へ描画すればよい。
【００２９】
該ガラス原版を用いて、大量複製してフーリエ変換レンズフィルム３とする。
この複製方法としては、公知の２Ｐ法、射出成形法、ゾルゲル法などが適用できる。
（２Ｐ法）
２Ｐ法（ＰｈｏｔｏＰｏｌｙｍｅｒｉｚａｔｉｏｎ法）は、原版に、電離放射線硬化樹脂を塗布し、電離放射線を照射して硬化させて後に、剥がす方法で作製する。
２Ｐ法は、一般に、基材上に凹凸レリーフを形成する有効な方法として知られ、公知の光学部品などの複製でも使用されている。
【００３０】
図８は、２Ｐ法を説明する概念図である。
図９は、複製された本発明のフーリエレンズの断面図である。
２Ｐ法は、概略の工程を図８で図示するように、図８（Ａ）は凹凸状レリーフの形成された原版で、図８（Ｂ）に示すように電離放射線硬化性樹脂組成物５３Ａを滴下し、図８（Ｃ）、図８（Ｄ）に示すように、その上へ複製基材５５を積置し、押圧する。
次いで、図８（Ｅ）に示すような状態で、原版５１又は複製基材５５側から紫外線等の電離性放射線を照射して、電離放射線硬化性樹脂組成物５３Ａを硬化させる。
図８（Ｆ）に示すように、硬化して一体化した電離放射線硬化樹脂５３Ｂと基材５５とを、原版５１側から剥離することで、複製物（子）５０が得られる。
また、この２Ｐ法の操作を繰り返すことで、複数の複製物が得られる。
図８に図示する凹凸状レリーフの形成は、説明しやすくするために、矩形の凹凸形状で示している。
該凹凸形状は、２値化、４値化して、図９のように階段状としてもよい。
【００３１】
（基材）
複製原版の基材５５としては、透明なものであればよく、具体的には、ガラス版、透明なプラスチックフィルムやシートなどが適用できる。
ガラスは割れる恐れがあるために、透明なプラスチックフィルムやシートが好ましい。透明なプラスチックとしては、ポリカーボネート、ポリエチレンテレフタレートが好ましく、複屈折性からポリカーボネートが最適である。
その厚さは取扱い性の点から、０．０５〜５ｍｍ程度、好ましくは０．１〜３ｍｍである。
【００３２】
（電離放射線硬化樹脂層）
原版の凹凸レリーフが賦形される電離放射線硬化樹脂層５３Ｂは、電離放射線硬化性樹脂組成物５３Ａへ、電離放射線を照射して硬化させる。
電離放射線としては電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。
従って、電離放射線としては、紫外線（ＵＶ）、可視光線、ガンマー線、Ｘ線、または電子線などが適用できるが、紫外線、電子線が好適である。
電離放射線で硬化する電離放射線硬化性樹脂組成物５３Ａとしては、電離放射線硬化性樹脂（前駆体）へ、紫外線硬化の場合は光重合開始剤、及び／又は光重合促進剤を添加したもので、エネルギーの高い電子線硬化の場合は添加しないでもよい。
また、適正な触媒が存在すれば、熱エネルギーでも硬化できる。
【００３３】
該電離放射線硬化樹脂層５３Ｂは、電離放射線硬化性樹脂組成物５３Ａが電離放射線で硬化したもので、該電離放射線硬化性樹脂組成物５３Ａへは、電離放射線で重合（硬化ともいう）反応する少なくとも１つの、官能基を有する硬化性成分を含有させれば良い。
該硬化性成分としては、ラジカル重合性不飽和二重結合を有する化合物が適用でき、１官能モノマー、２官能以上の多官能モノマー、官能オリゴマー、官能ポリマーなどがある。
また、電離放射線で重合（硬化ともいう）する官能基としては、アクリロイル基、メタクリロイル基、アリル基、またはエポキシ基である。
【００３４】
１官能モノマーとしては、例えば、アクリル酸、アクリル酸メチル、アクリル酸エチルなどの（メタ）アクリル酸又はそのアルキル若しくはアリールエステル、スチレン、メチルスチレン、スチレンアクリロニトリル、ｎ‐ビニルピロリドンなどが適用できる。
また、本明細書においては、（メタ）アクリル酸とは、アクリル酸もしくはメタクリル酸を意味する。
（メタ）アクリレートとは、アクリレートもしくはメタクリレートを意味し、同様の表記はこれに準ずる。
【００３５】
２官能モノマーとしては、例えば、１，６‐ヘキサンジオールアクリレート（ＨＤＤＡ）、ヘキサメチレンジアクリレート、ジエチレングリコールジアクリレート（ＤＥＧＤＡ）などが適用できる。
多官能モノマーとしては、エチレングリコール、グリセリン、ペンタエリスルトール、エポキシ樹脂等の２官能以上の化合物に（メタ）アクリル酸又はその誘導体を反応させて得られる２官能以上の（メタ）アクリロイルモノマーなどが適用でき、例えば、トリメチロールプロパンアクリレート（ＴＭＰＴＡ）、ペンタエリスリトールトリアクリレート（ＰＥＴＡ）などが例示できる。
【００３６】
官能オリゴマー（プレポリマーとも呼ばれる）としては、分子量（重量平均）が約３００〜５０００程度で、分子内中に（メタ）アクリロイル基、メタクリロイル基、アリル基、またはエポキシ基などのラジカル重合性二重結合を有するポリウレタン系、ポリエステル系、ポリエーテル系、ポリカーボネート系、ポリ（メタ）アクリル酸エステル系が適用でき、例えば、ウレタン（メタ）アクリレート、イソシアヌレート（メタ）アクリレート、ポリエステル（メタ）アクリレートなどが例示できる。
【００３７】
官能ポリマーとしては、分子量（重量平均）が約１０００〜３０万程度で、アクリロイル基、メタクリロイル基、アリル基、またはエポキシ基などのラジカル重合性二重結合を有するウレタン（メタ）アクリレート、イソシアヌレート（メタ）アクリレート、ポリエステル‐ウレタン（メタ）アクリレート、エポキシ（メタ）アクリレートが適用できる。
【００３８】
以上に説明した硬化性のモノマー、および／またはオリゴマー、および／またはポリマーを、電離放射線硬化性樹脂組成物５３Ａへ含有させれば良い。
これらの硬化性成分を、例えば、電離放射線硬化性樹脂（前駆体）に対して、５質量％以上、好ましくは１０〜９０質量％、更に好ましくは、２０〜８０質量％含有させることによって、電離放射線硬化性が付与される。
【００３９】
また、電離放射線硬化性樹脂（前駆体）へ、少なくとも１種のモノマーを含有させ、さらに、反応性希釈剤と呼ばれるモノマーを含ませても良い。該モノマーは、（メタ）アクリロイル基、メタクリロイル基、アリル基、またはエポキシ基などを有する１官能反応性希釈剤である。
ここで、反応性希釈剤は、トルエンなどの一般的な有機溶剤とは異なり、トルエンなどの一般的な有機溶剤などの溶剤を含有していないことを意味する。
通常、電離放射線硬化性樹脂組成物は粘度が高く、有機溶剤で粘度を下げるように調整しないと、塗布することができない。
しかし、該モノマーを電離放射線硬化性樹脂（前駆体）へ含有させると粘度が下がり、溶剤を用いる必要がなくなり、ノンソルベント（無溶剤）で使用することができる。
また、オリゴマーも、同様の効果がある。
【００４０】
さらに、モノマー、オリゴマーは重合反応の速度を向上させ、また、オリゴマー、ポリマーは、硬化後の電離放射線硬化樹脂層５３Ｂの架橋密度、凝集力などを調整することができる。
このために、電離放射線硬化性樹脂（前駆体）へは、モノマー、および／またはオリゴマー、および／またはポリマーを用いることが好ましい。
さらに、好ましくはそれらを併用して、適宜、配合比を変えて、用途や目的に合わせた電離放射線硬化樹脂層５３Ｂの性能とする。
さらに、電離放射線硬化性樹脂（前駆体）には、必要に応じて、重合禁止剤、老化防止剤などの添加剤を加えてもよい。該電離放射線硬化樹脂層５３Ｂには、必要に応じて、可塑剤、滑剤、染料や顔料などの着色剤、増量やブロッキング防止などの体質顔料や樹脂などの充填剤、界面活性剤、消泡剤、レベリング剤、チクソトロピー性付与剤等の添加剤を、適宜加えても良い。
【００４１】
電子線照射は、電子線加速器により発生させた電子線を照射する。
電子線照射装置としては、たとえば、コックロフトワルトン型、バンデグラフ型、共振変圧器型、絶縁コア変圧器型、あるいは直線型、ダイナミトロン型、高周波型などの各種電子線加速器などを用いて、エクレトロンカーテン方式、ビームスキャニング方式などで、電子線を照射する。
好ましくは、線状のフィラメントからカーテン状に均一な電子線を照射できる装置「エレクトロカーテン」（商品名）である。
電子線の照射量は、通常１００〜１０００ｋｅＶ、好ましくは１００〜３００ｋｅＶのエネルギーを持つ電子を、０．５〜２０Ｍｒａｄ程度の照射量で照射する。
照射量が０．５Ｍｒａｄ未満の場合、未反応モノマーが残留して硬化が不十分となる恐れがあり、また、照射量が２０Ｍｒａｄを超えると、架橋密度が高くなり硬化したバインダ、若しくは基材が、損傷を受ける恐れがある。
また、硬化の際の雰囲気は、酸素濃度５００ｐｐｍ以下で行われ、通常は２００ｐｐｍ程度で行うのが好ましい。
【００４２】
（光重合開始剤）
紫外線照射は、電離放射線硬化性樹脂組成物に光重合開始剤、例えば、アセトフェノン類、ベンゾフェノン類、ミヒラーベンゾイルベンゾエート、αーアミロキシムエステル、テトラメチルメウラムモノサルファイド、チオキサントン類などの光重合開始剤と、必要に応じて光増感剤、例えば、ｎ-ブチルアミン、トリエチルアミン、トリーｎーブチルホスフィンなどを添加する。
紫外線硬化に用いる紫外線（ＵＶ）ランプは、高圧水銀ランプ、メタルハライドランプが適用でき、紫外線の波長は２００〜４００ｎｍ程度で、接着剤組成物に応じて波長を選択すれば良い。
その照射量は、組成物の材質や量と、ＵＶランプの出力と、加工速度に応じて照射すれば良い。
【００４３】
このように複製したフーリエ変換レンズフィルム３は、そのまま用いても機能を発揮するが、紙基材１３への取付性又は単独での取扱い性から、周辺を厚板紙で補強してもよい。
さらに、凹凸面に水、汗、油などの液体が付着するとフーリエ変換レンズの効果が減ずるので、凹凸面へ保護層又は保護フィルムを設けてもよい。
【実施例】
【００４４】
（実施例１）
図７（Ｂ）に示す光学画像「星型」を所望の画像とし、該所望の画像を電子線描画法でフーリエ変換レンズの凹凸を描画した。
この描画原版を用いて、該原版の凹凸形状を２Ｐ法で複製した。
該原版の凹凸面へ、下記の電離放射線硬化性樹脂を流し込み、厚さが１ｍｍのポリカーボネートシートを重ねて、６０Ｎ／ｃｍ2の圧力を加え、凹凸レリーフ領域以上に広げた。
ポリカーボネイト面から超高圧水銀ランプの波長が３６５ｎｍの紫外線を３５０ｍＪ照射した後に、剥離してフーリエ変換レンズシートを得た。
・電離放射線硬化性樹脂
ゴーセラックＵＶ-７５００Ｂ（日本合成化学社製）  ３５質量部
１，６ヘキサンジオールジアクリレート              ３５質量部
ジペンタエリスリトールトリアクリレート            １０質量部
ビニルピロリドン                                  １５質量部
１ヒドロキシシクロヘキシルフェニルケトン（光開始剤）２質量部
ベンゾフェノン                                      ２質量部
ＴＳＦ４４４０（ＧＥ東芝シリコーン社製）            １質量部
【００４５】
このようにして得たフーリエ変換レンズフィルム３は、外寸５７×８７ｍｍのカード状とし、その内側に３０×５０ｍｍフーリエ変換レンズ部と、そのレンズ部の外周にレンズのない無地部分からなっている。
次に、外寸５７×８７ｍｍ坪量２００ｇ／ｍ２の板紙を用意し、その中心部に同じく３０×５０ｍｍの範囲で、５０個の径0．２ｍｍの穴を開け点光源部とした。
その点光源の３０×５０ｍｍの範囲を黒色で全ベタ印刷を行い、点光源部以外の片面に取扱い法を印刷し、反対面に当該商品と全く無関係の他の商品を広告宣伝する文字、図形、記号、絵柄等からなる印刷画像表示部情報として、企業広告を印刷した。
１３．５ｍｍ幅のレンズのない無地部分と重ね合わせ、外寸５７×８７ｍｍのカード状の広告媒体を得た。
このフーリエ変換レンズフィルム３から紙基材の面点光源部を蛍光灯通して見たところ、多数の星状の画像がキラキラと輝いて見えた。
【図面の簡単な説明】
【００４６】
【図１】本発明の第１実施形態にかかる光学媒体の斜視図である。
【図２】本発明の光学媒体に使用するフーリエ変換レンズフィルムの平面図である。
【図３】本発明の光学媒体に使用する光透過用シートであり、図３（Ａ）は、光透過用シートの表側の平面図、図３（Ｂ）は、光透過用シートの裏側の平面図である。
【図４】図１のＡ−Ａ線断面である。
【図５】本発明の第２実施形態にかかる光学媒体の断面図である。
【図６】本発明の光学媒体を用いた光学画像の観察方法を説明する説明図である。
【図７】フーリエ変換レンズの原理を説明する説明図である。
【図８】２Ｐ法を説明する概念図である。
【図９】複製されたフーリエ変換レンズの断面図である。
【符号の説明】
【００４７】
１  光学媒体
２，２６  フーリエ変換レンズ
３，３ａ  フーリエ変換レンズフィルム
４，４ａ  光透過部
５，５ａ  光透過用シート
６  広告情報
７  押さえシート
８  光源
９，２３  目
１０，２７  光学画像
２０  画像
２１  レンズ
２４  観察像
２５  点光源
５０  複製物
５１  原版
５３Ａ  電離放射線硬化性樹脂組成物
５３Ｂ  電離放射線硬化樹脂
５５  複製基材
【図１】
2006301312.tif 000003
【図２】
2006301312.tif 000004
【図３】
2006301312.tif 000005
【図４】
2006301312.tif 000006
【図５】
2006301312.tif 000007
【図６】
2006301312.tif 000008
【図７】
2006301312.tif 000009
【図８】
2006301312.tif 000010
【図９】
2006301312.tif 000011